【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
入力画像を属性毎の領域に分割する領域分割ステップと、
前記領域分割ステップで分割された領域を示す枠と、前記分割された領域の言語モード属性とを表示する表示ステップと、
前記分割された領域のうちユーザにより指定された領域について、前記言語モード属性の変更指示がなされたか否か判断する判断ステップと、
前記判断ステップで前記言語モード属性の変更指示がなされたと判断した場合、前記変更指示に基づいて、当該指定された領域の言語モード属性を変更する変更ステップと
を有することを特徴とする情報処理方法。
【請求項２】
更に、前記変更された言語モード属性に適した文字認識処理を実行する文字認識ステップを有することを特徴とする請求項１に記載の情報処理方法。
【請求項３】
前記表示ステップでは、前記言語モード属性に応じて、異なるシンボルパターンを表示することを特徴とする請求項１に記載の情報処理方法。
【請求項４】
前記表示ステップでは、異なる色のシンボルパターンを用いて、前記言語モード属性を表示することを特徴とする請求項１に記載の情報処理方法。
【請求項５】
前記表示ステップでは、異なる形状のシンボルパターンを用いて、前記言語モード属性を表示することを特徴とする請求項１に記載の情報処理方法。
【請求項６】
更に、前記領域分割ステップで分割された領域内の画像に基づいて、言語モード属性を自動判別する判別ステップを有する情報処理方法であって、
前記表示ステップでは、前記判別ステップで自動判別された言語モード属性を、前記分割された領域のデフォルトの言語モード属性として表示することを特徴とする情報処理方法。
【請求項７】
更に、前記文字認識ステップでの認識結果を保存する際に、他のアプリケーションを起動させ、当該保存された認識結果を当該起動させた他のアプリケーションで表示させるように制御する制御ステップを有することを特徴とする請求項２記載の情報処理方法。
【請求項８】
更に、ユーザの指示に基づいて前記起動させる他のアプリケーションを設定する設定ステップを有することを特徴とする請求項７に記載の情報処理方法。
【請求項９】
入力画像を属性毎の領域に分割する領域分割手段と、
前記領域分割手段で分割された領域を示す枠と、前記分割された領域の言語モード属性とを表示する表示手段と、
前記分割された領域のうちユーザにより指定された領域について、前記言語モード属性の変更指示がなされたか否か判断する判断手段と、
前記判断手段で前記言語モード属性の変更指示がなされたと判断した場合、前記変更指示に基づいて、当該指定された領域の言語モード属性を変更する変更手段と
を有することを特徴とする情報処理装置。
【手続補正２】
【補正対象書類名】明細書
【補正対象項目名】００１２
【補正方法】変更
【補正の内容】
【００１２】
【課題を解決するための手段】
上記課題を解決するために、本発明の情報処理方法は、入力画像を属性毎の領域に分割する領域分割ステップと、前記領域分割ステップで分割された領域を示す枠と、前記分割された領域の言語モード属性とを表示する表示ステップと、前記分割された領域のうちユーザにより指定された領域について、前記言語モード属性の変更指示がなされたか否か判断する判断ステップと、前記判断ステップで前記言語モード属性の変更指示がなされたと判断した場合、前記変更指示に基づいて、当該指定された領域の言語モード属性を変更する変更ステップとを有する。


【手続補正３】
【補正対象書類名】明細書
【補正対象項目名】００１３
【補正方法】変更
【補正の内容】
【００１３】
上記課題を解決するために、本発明の情報処理方法は好ましくは、更に、前記変更された言語モード属性に適した文字認識処理を実行する文字認識ステップを有する。


【手続補正４】
【補正対象書類名】明細書
【補正対象項目名】００１４
【補正方法】変更
【補正の内容】
【００１４】
上記課題を解決するために、本発明の情報処理方法は好ましくは、前記表示ステップでは、前記言語モード属性に応じて、異なるシンボルパターンを表示する。


【手続補正５】
【補正対象書類名】明細書
【補正対象項目名】００１５
【補正方法】変更
【補正の内容】
【００１５】
上記課題を解決するために、本発明の情報処理方法は好ましくは、前記表示ステップでは、異なる色のシンボルパターンを用いて、前記言語モード属性を表示する。


【手続補正６】
【補正対象書類名】明細書
【補正対象項目名】００１６
【補正方法】変更
【補正の内容】
【００１６】
上記課題を解決するために、本発明の情報処理方法は好ましくは、前記表示ステップでは、異なる形状のシンボルパターンを用いて、前記言語モード属性を表示する。


【手続補正７】
【補正対象書類名】明細書
【補正対象項目名】００１７
【補正方法】変更
【補正の内容】
【００１７】
上記課題を解決するために、本発明の情報処理方法は好ましくは、更に、前記領域分割ステップで分割された領域内の画像に基づいて、言語モード属性を自動判別する判別ステップを有し、前記表示ステップでは、前記判別ステップで自動判別された言語モード属性を、前記分割された領域のデフォルトの言語モード属性として表示する。


【手続補正８】
【補正対象書類名】明細書
【補正対象項目名】００１８
【補正方法】変更
【補正の内容】
【００１８】
上記課題を解決するために、本発明の情報処理方法は好ましくは、更に、前記文字認識ステップでの認識結果を保存する際に、他のアプリケーションを起動させ、当該保存された認識結果を当該起動させた他のアプリケーションで表示させるように制御する制御ステップを有する。


【手続補正９】
【補正対象書類名】明細書
【補正対象項目名】００１９
【補正方法】変更
【補正の内容】
【００１９】
上記課題を解決するために、本発明の情報処理方法は好ましくは、更に、ユーザの指示に基づいて前記起動させる他のアプリケーションを設定する設定ステップを有する。


【手続補正１０】
【補正対象書類名】明細書
【補正対象項目名】００２０
【補正方法】変更
【補正の内容】
【００２０】
上記課題を解決するために、本発明の情報処理装置は、入力画像を属性毎の領域に分割する領域分割手段と、前記領域分割手段で分割された領域を示す枠と、前記分割された領域の言語モード属性とを表示する表示手段と、前記分割された領域のうちユーザにより指定された領域について、前記言語モード属性の変更指示がなされたか否か判断する判断手段と、前記判断手段で前記言語モード属性の変更指示がなされたと判断した場合、前記変更指示に基づいて、当該指定された領域の言語モード属性を変更する変更手段とを有する。


【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００８３
【補正方法】変更
【補正の内容】
【００８３】
【発明の効果】
以上説明したように、本発明によれば、分割された領域の言語モード属性を容易に確認することができ、また、言語モード属性の修正作業も容易に行える。


【手続補正１９】
【補正対象書類名】明細書
【補正対象項目名】００８４
【補正方法】変更
【補正の内容】
【００８４】
以上説明したように、本発明によれば、言語モード属性に適した文字認識処理を行うので、文字認識処理の精度を向上させることができる。


【手続補正２０】
【補正対象書類名】明細書
【補正対象項目名】００８５
【補正方法】変更
【補正の内容】
【００８５】
以上説明したように、本発明によれば、言語モード属性に応じたシンボルパターンで表示するので、言語モード属性の識別が容易に行える。


【手続補正２１】
【補正対象書類名】明細書
【補正対象項目名】００８６
【補正方法】変更
【補正の内容】
【００８６】
以上説明したように、本発明によれば、認識結果を保存する際に他のアプリケーションを起動させて、認識結果を表示するようにしたので、文字認識処理後の修正作業などの作業効率を向上させることができる。


【手続補正２２】
【補正対象書類名】明細書
【補正対象項目名】００８７
【補正方法】変更
【補正の内容】
【００８７】
以上説明したように、本発明によれば、起動させる他のアプリケーションを設定することができるので、ユーザの所望する他のアプリケーションを起動させることが可能になる。


【手続補正２３】
【補正対象書類名】明細書
【補正対象項目名】００８８
【補正方法】削除
【補正の内容】
【手続補正２４】
【補正対象書類名】明細書
【補正対象項目名】００８９
【補正方法】削除
【補正の内容】
【手続補正２５】
【補正対象書類名】明細書
【補正対象項目名】００９０
【補正方法】削除
【補正の内容】
【手続補正２６】
【補正対象書類名】明細書
【補正対象項目名】００９１
【補正方法】削除
【補正の内容】
【手続補正２７】
【補正対象書類名】明細書
【補正対象項目名】００９２
【補正方法】削除
【補正の内容】
【手続補正２８】
【補正対象書類名】明細書
【補正対象項目名】００９３
【補正方法】削除
【補正の内容】
【手続補正２９】
【補正対象書類名】明細書
【補正対象項目名】００９４
【補正方法】削除
【補正の内容】
【手続補正３０】
【補正対象書類名】明細書
【補正対象項目名】００９５
【補正方法】削除
【補正の内容】
【手続補正３１】
【補正対象書類名】明細書
【補正対象項目名】００９６
【補正方法】削除
【補正の内容】
【手続補正３２】
【補正対象書類名】明細書
【補正対象項目名】００９７
【補正方法】削除
【補正の内容】
【手続補正３３】
【補正対象書類名】明細書
【補正対象項目名】００９８
【補正方法】削除
【補正の内容】